(57)【特許請求の範囲】
【請求項１】
スポーツシャツに装着して成る熱可塑性の着色合成樹脂による伸縮性を有し、且つ柔軟性を有する合成樹脂から成るマーク地と、剥離剤によっては成分変化を起こさない介在層である熱可塑性合成樹脂層と、前記マーク地及び介在層より融点温度の低い接着剤層である熱可塑性ホットメルト合成樹脂層とを順次積層して形成されたマークをスポーツシャツからマークの剥がし取りシートによって剥がす方法であって、前記マークの剥がし取りシートとして、適宜材質から成るシート上に、前記マークのマーク地である前記合成樹脂層と親和性を有し、且つ前記合成樹脂層より融点温度の高い熱可塑性合成樹脂層を、熱可塑性のホットメルト合成樹脂層を介して一体に形成して成るものを使用することを特徴とするマークの剥がし取り方法。
【発明の詳細な説明】
【０００１】
本発明は、スポーツシャツの生地に接着した熱可塑性のホットメルト合成樹脂層、介在層、柔軟性、伸縮性に富む着色した熱可塑性合成樹脂層から成る三層構造のマークを剥がし取るときに用いる剥し材に関するものである。
【０００２】
これまで、スポーツシャツの生地に接着するマークにはいろいろの構成形式のものがあるが、その中の一ツの構成形式をなすものに柔軟性、伸縮に富む着色した熱可塑性の合成樹脂層から成るマーク地を、熱可塑性のホットメルト合成樹脂層から成る接着剤層で裏打ちし、これを所望の形状に打ち抜いたマークとし、このマークの接着剤層である熱可塑性のホットメルト合成樹脂層をスポーツシャツに重ね合わせ、加熱加圧して熱可塑性のホットメルト合成樹脂層である接着剤層を融着してスポーツシャツに接着する構成形式のものがある。これらのマークは、これまで一度スポーツシャツの生地面に貼着した後は、剥し取るものではないと言う考え方の下に開発されていた。
【０００３】
ところが、最近では、一度スポーツシャツの生地面に接着した前記構成から成るマークを剥し取ることができるような必要性にせまられることが生ずるようになった。また、剥し取り作業を行う際に使用する溶液も開発されるようになった。
【０００４】
その溶液は、前記したマークのマーク地スポーツシャツの生地とを接着する機能を果たす前記した熱可塑性ホットメルト合成樹脂層である接着剤層を形成する合成樹脂に反応して、該合成樹脂の接着力を減殺する機能を発揮すると言うものである。
【０００５】
スポーツシャツの生地に貼着した前記マークを構成するマーク地を剥し取るときは、スポーツシャツの生地に接着している前記接着剤層を形成する熱可塑性ホットメルト合成樹脂層の投錨機能を弱める必要があり、その手段は、スポーツシャツの生地裏に前記溶液を滲み込ませ、スポーツシャツの生地に投錨機能を発揮してマークのマーク地とスポーツシャツの生地を貼着している前記接着剤層を形成する熱可塑性ホットメルト合成樹脂層の投錨機能を減殺して、接着剤層を形成する熱可塑性ホットメルト合成樹脂層をスポーツシャツの生地から剥がれやすくしてからマークのマーク地を剥がし取るというものである。
この操作を行ったときは、接着剤層を形成する熱可塑性ホットメルト合成樹脂層が発揮した投錨機能を減殺した溶液がマーク地にも達し、接着剤層を形成する熱可塑性ホットメルト合成樹脂層と融着した柔軟性、伸縮性に富む熱可塑性の着色した合成樹脂層から成るマーク地も、接着剤層を形成する熱可塑性ホットメルト合成樹脂層からも剥がれやすくなることになると言う不都合を生じることになる。その結果、マーク地と接着剤層を形成する熱可塑性ホットメルト合成樹脂層とも剥離する現象を呈し、接着力を減殺された接着剤層を形成する熱可塑性ホットメルト合成樹脂層がスポーツシャツの生地面から綺麗に剥がし取ることができず、むらのある剥離現象を呈すると言う不都合を生ずることになる。
【０００６】
本発明者は、マークをスポーツシャツの生地から剥がすとき、スポーツシャツの生地の裏地に前記溶液を滲み込ませて、接着剤層を形成する熱可塑性ホットメルト合成樹脂層の投錨機能を減殺する作業を行ったとき、マーク地が接着剤層を形成する熱可塑性ホットメルト合成樹脂層と剥離しないように、マーク地、介在層、接着剤層から成る三層構造のマークを先に開発した。
即ち、そのマークは、剥離シートの面に、熱可塑性の着色合成樹脂による伸縮性を有し、且つ柔軟性を有する合成樹脂層から成るマーク地を形成し、該マーク地の面に剥離剤によっては成分変化をおこさない介在層である熱可塑性合成樹脂層を形成し、該介在層には前記マーク地、介在層よりは融点温度の低い接着層を形成する熱可塑性のホットメルト合成樹脂層を形成して成るマーク用生地を作り、このマーク用生地を該接着層を形成する熱可塑性のホットメルト合成樹脂層から、前記剥離シートに形成されたマーク地に達するハーフカット法により所望の図柄状に切り抜いて、剥離シート面に前記マーク地、介在層、接着層を形成する熱可塑性のホットメルト合成樹脂層から成る三層構造の所望の図柄に形成したことを特徴とする熱圧着型マークと言う発明である。
これを特願２００２−９９６６１号として出願した。
【０００７】
このマークを以てスポーツシャツに接着するには、スポーツシャツの生地面に、マーク地、介在層、接着剤層を形成する熱可塑性ホットメルト合成樹脂層から成るマークを重ね、マーク地面に配される剥離シートから常法に従って加熱加圧する。
この加熱加圧操作により、スポーツシャツの生地面に重ねられたマークの接着剤層である熱可塑性のホットメルト合成樹脂層は、溶融し、スポーツシャツの生地面に対して投錨機能を発揮する。
また、介在層に対しても融着機能を発揮する。
更に、剥離シート面から加熱加圧されるマーク地は介在層とも融着すると言うものである。
この操作終了後、前記剥離シートを、マーク地面から剥がし取ることにより、スポーツシャツの生地面に投錨機能を発揮した接着剤層に介在層を介在させたマーク地から成るマークが貼着されることに成ると言うものである。
【０００８】
このマークを何等かの都合によってスポーツシャツの生地面から剥がし取る必要が生じたときは、スポーツシャツの生地の裏面に溶液を滲み込ませる。
この操作によって、スポーツシャツの生地の裏面に滲み込んだ溶液は、スポーツシャツの生地面に投錨機能を発揮してスポーツシャツの生地面に貼着している接着剤層である熱可塑性のホットメルト合成樹脂層の投錨機能を減殺する。
接着剤層である熱可塑性のホットメルト合成樹脂層の投錨機能を減殺した溶液は、接着剤層である熱可塑性のホットメルト合成樹脂層に滲み込んだとしても、接着剤層と介在層とは密着し、介在層は前記溶液の影響はうけない。
また、マーク地は溶液に反応しない介在層と密着している。
従って、理論的には、スポーツシャツの生地からマークを剥がし取る操作を行うときは、マーク地は介在層を介在させて、投錨機能を減殺された接着剤層である熱可塑性ホットメルト合成樹脂層をスポーツシャツの生地面から剥がし取られるはずである。
ところが、マーク地、介在層、接着剤層である熱可塑性ホットメルト合成樹脂層から成るマークは極薄層として形成されているので、これを剥がすのは、つまんだり、はさんだりしたとしても、マーク面に均一の力がかかるようなつまみ方、はさみ方はできない。そうすると、結果的には、マークをスポーツシャツの生地のからきれいに剥がし取ることはできないことになる。
【０００９】
スポーツシャツに装着して成る熱可塑性の着色合成樹脂による伸縮性を有し、且つ柔軟性を有する合成樹脂から成るマーク地と、剥離剤によっては成分変化を起こさない介在層である熱可塑性合成樹脂層と、前記マーク地及び介在層より融点温度の低い接着剤層である熱可塑性ホットメルト合成樹脂層とを順次積層して形成されたマークをスポーツシャツからマークの剥がし取りシートによって剥がす方法であって、前記マークの剥がし取りシートとして、適宜材質から成るシート上に、前記マークのマーク地である前記合成樹脂層と親和性を有し、且つ前記合成樹脂層より融点温度の高い熱可塑性合成樹脂層を、熱可塑性のホットメルト合成樹脂層を介して一体に形成して成るものを使用するマークの剥がし取り方法。
【００１０】
スポーツシャツの一方の面に接着剤層としての熱可塑性のホットメルト合成樹脂層を介在させて接着する柔軟性、伸縮性に富む着色した熱可塑性の合成樹脂層から成るマーク地と前記接着剤層を形成する熱可塑性ホットメルト合成樹脂層の中間に両合成樹脂層と親和性を有し、且つ、両合成樹脂層よりは融点の高い介在層としての熱可塑性合成樹脂層を配して成るマークとし、該マークをスポーツシャツから剥がし取る必要が生じたときに使用する器材であって、該器材は前記マークのマーク地である前記合成樹脂層と親和性を有し、且つ前記マーク地である前記合成樹脂層よりは融点温度の高い熱可塑性合成樹脂層を適宜材質から成るシートに熱可塑性のホットメルト合成樹脂層を介して一体に形成した。
【００１１】
本発明は、前記した特願２００２−９９６６１号として出願したマークをスポーツシャツに接着した後に、何等かの都合により剥がし取る場合に生じる前記した不都合を解消するために開発されたマークの剥がし取りシート１であって、その構成は、該シート１の基版は適宜材質から成る布状のシート状物体２とする。この物体に熱可塑性のホットメルト合成樹脂層３を介在させて、熱可塑性合成樹脂層４を形成した三層構造とする。
この熱可塑性合成樹脂層４は、マークのマーク地を形成する熱可塑性の着色された合成樹脂層を形成する合成樹脂と親和性を有し、且つ、前記マーク地を形成する前記合成樹脂より融点温度の高い合成樹脂を選んだ層とする。この熱可塑性樹脂層４はこれを剥離層と呼ぶ。
これらを、加熱加圧することにより、熱可塑性のホットメルト合成樹脂層３を介在させて前記した剥離層である熱可塑性合成樹脂層４は前記シート状物体２に三層構造として強固に密着する。
【００１２】
次に、前記したマークの剥がし取りシート１を以てスポーツシャツの生地に貼着されたマークの剥がし取りについて説明する。
前記したマークの剥がし取りシート１の剥離層を構成する熱可塑性合成樹脂層４の面を、スポーツシャツの生地面に貼着されたマークを構成する柔軟性、伸縮性に富む着色した熱可塑性の合成樹脂層から成るマーク地に面に重ね合わせる。
次で、マークを構成するマーク地の融点以上の高温を以て加熱加圧する。
この加熱加圧により、スポーツシャツの生地面に貼着されたマークを構成するマーク地は溶融する。そして、該マーク地は一方では中介層に再融着する。これと同時に他方では、マークの剥がし取りシート１に形成された剥離層である熱可塑性合成樹脂層４と融着する。
この状態が生じた後、加熱加圧をとめると、前記マーク地は一方ではマークを構成する中介層と再同化し、他方ではマークの剥がし取りシートを構成する剥離層である熱可塑性合成樹脂層４と強力に同化して一体化する。
【００１３】
マークを貼着したスポーツシャツの生地の裏面に溶液を滲み込ませる。
この操作によって、スポーツシャツの生地面に投錨機能を発揮して貼着された接着剤層を形成する熱可塑性のホットメルト合成樹脂層の合成樹脂の投錨機能を減殺する。即ち、スポーツシャツの生地面から貼着した接着剤層である熱可塑性ホットメルト合成樹脂層が剥がれやすくなる。
【００１４】
この状態となったとき、剥がし取りシート１をスポーツシャツの生地面から剥がし取ると、剥がし取りシート１のシート状物体２に熱可塑性のホットメルト合成樹脂層３を介在して三層構造として形成された前記した剥離層である熱可塑性合成樹脂層４と、スポーツシャツの生地面に、貼着されたマークのマーク地とは一体同化した層となっているので、前記マーク地は、剥がし取りシート１の剥離層である熱可塑性合成樹脂層４と一体となり、スポーツシャツの生地面から、マークを構成する中介層、熱可塑性のホットメルト合成樹脂層を一体として剥がし取ることになる。
【図面の簡単な説明】
【図１】  本発明の断面図
【符号の説明】
１．マークの剥し取りシート
２．適宜材質から成る布状のシート状物体
３．熱可塑性のホットメルト合成樹脂層
４．熱可塑性合成樹脂層
【図１】
0003846787.tif 000002